(57)【特許請求の範囲】
【請求項１】
地下坑井内で用いられるパッカー組立体であって、前記パッカー組立体は、
環状シール要素と、
少なくとも１つの端リングとを含み、前記端リングは、前記端リング本体上に形成された葉状片を有し、前記葉状片は、前記シール要素が半径方向外方に延びると、半径方向外方に付勢され、
少なくとも１本のラインが前記シール要素及び前記端リングを貫通して延びており、前記ラインは、前記端リング本体及び前記端リングの取外し可能な部分によって画定された開口部内に位置決めされているパッカー組立体。
【請求項２】
前記シール要素は、前記坑井内の選択された流体との接触に応答して膨張する、請求項１記載のパッカー組立体。
【請求項３】
前記端リングの取外し可能な部分がインターロック異形材を介して前記端リング本体に係合している、請求項１記載のパッカー組立体。
【請求項４】
前記葉状片は、前記シール要素の上に覆い被さっている、請求項１記載のパッカー組立体。
【請求項５】
前記端リングは、葉状片が形成されたインサートを更に有し、前記インサート葉状片は、前記端リング本体葉状片に対して円周方向にオフセットしている、請求項１記載のパッカー組立体。
【請求項６】
地下坑井内の環状部を封止する方法であって、前記方法は、
ラインをパッカー組立体の前記シール要素、及び、端リングに通すステップと、
次に、前記端リングの一部分を、インターロック異形材により、端リング本体に嵌めこみ、それにより前記ラインを前記端リング本体及び前記端リングの前記一部分により画定された開口部内に固定するステップと、
円周方向に連続する葉状片を、パッカー組立体の環状シール要素の上に半径方向外方に覆い被さるように位置決めするステップと、
前記葉状片が前記シール要素の膨張に応答して半径方向外方に回動するステップとを含む、方法。
【請求項７】
前記シール要素は、前記坑井内の選択された流体との接触に応答して膨張する、請求項６記載の方法。
【請求項８】
前記葉状片は、端リング本体上に形成されている、請求項６記載の方法。
【請求項９】
インサート葉状片が前記端リング本体葉状片に対して円周方向にオフセットするように、葉状片が形成されたインサートを前記端リング本体内に収納するステップを更に含む、請求項８記載の方法。
【請求項１０】
前記インサート葉状片及び前記端リング本体葉状片は、前記シール要素が膨張すると、半径方向外方に付勢される、請求項９記載の方法。
【請求項１１】
地下坑井内で用いられるパッカー組立体であって、前記パッカー組立体は、
前記坑井内の選択された流体との接触に応答して膨張する環状シール要素と、
前記環状シール要素の少なくとも一端に半径方向外方に覆い被さる円周方向に連続する葉状片と、
端リング本体と、取り外し可能部分とを有する少なくとも１つの端リングとを含み、
前記端リングは、当該端リング上に形成された葉状片の第１の部分を含み、前記端リングは取り外し可能なインサートを含み、前記インサートは当該インサート上に形成された前記葉状片の第２の部分を含み、前記取り外し可能部分を取り外すことにより、前記円周方向に連続する葉状片に隙間が形成され、これにより、前記パッカー組立体を通るラインを設置することができる、パッカー組立体。
【請求項１２】
前記インサート及び前記第２の部分は同時に前記端リングから取り外される、請求項１１記載のパッカー組立体。
【請求項１３】
前記インサート及び前記第２の部分は同時に前記端リングに設置される、請求項１１記載のパッカー組立体。
【請求項１４】
前記葉状片の第２の部分は、前記インサートが前記端リングに設置される際に、前記葉状片の前記第１の部分に重なる、請求項１３記載のパッカー組立体。
【請求項１５】
前記第１及び第２の部分は、前記シール要素が半径方向外方に延びると、半径方向外方に付勢される、請求項１１記載のパッカー組立体。
【請求項１６】
少なくとも１本のラインが前記シール要素及び前記端リングを貫通して延びている、請求項１１記載のパッカー組立体。
【請求項１７】
前記インサート及び前記第２の部分が前記端リングに設置されると、前記インサートは前記ラインを前記パッカー組立体に固定する、請求項１６記載のパッカー組立体。
【発明の詳細な説明】
【技術分野】
【０００１】
本発明は、一般に、地下坑井と関連して利用される機材及び地下坑井と関連して実施される作業に関し、以下において説明する実施例では、特に、パッカーシール要素中へのラインの挿通及びパッカーシール要素からのラインの押出しの阻止を可能にする技術を提供する。
【背景技術】
【０００２】
パッカー組立体の環状部差圧定格は、パッカー組立体のシール要素の押出しによって制限される場合がある。ラインをシール要素中に長手方向に挿通させることができるようにすることが有益である。
【０００３】
したがって、パッカー組立体を構成する技術分野において改良が要望されていることは理解されよう。
【発明の概要】
【０００４】
以下の開示において、当該技術分野に対して改良をもたらすパッカー組立体及び関連方法が提供される。ラインをシール要素及び端リング中に長手方向に挿通させる一実施例について以下において説明する。シール要素の押出しが端リングに設けられた半径方向に拡張可能な葉状片の使用によって阻止される別の例について以下において説明する。
【０００５】
一観点では、本発明は、当該技術分野に対して地下坑井内で用いられるパッカー組立体を提供する。パッカー組立体は、環状シール要素と、少なくとも１つの端リングとを含むのが良い。端リング本体上には葉状片が形成されている。葉状片は、シール要素が半径方向外方に延びると、半径方向外方に付勢される。
【０００６】
別の観点では、本発明により、地下坑井内の環状部を封止する方法が提供される。この方法は、円周方向に連続して配置された葉状片がパッカー組立体の環状シール要素の上に半径方向外方に覆い被さるように葉状片を位置決めするステップと、葉状片がシール要素の膨張に応答して半径方向外方に回動するステップとを含むのが良い。
【０００７】
さらに別の観点では、地下坑井内で用いられる本発明のパッカー組立体は、坑井内の選択された流体との接触に応答して膨張する環状シール要素と、取外し可能な部分を備えた少なくとも１つの端リングとを含むのが良い。取外し可能な部分は、インターロック異形材を介して端リングの本体と係合する。
【０００８】
上述の特徴、利点及び利益並びに他の特徴、他の利点及び他の利益は、以下の代表的な実施例の詳細な説明及び添付の図面を注意深く検討すると、当業者には明らかになろう。なお、種々の図において、同じ要素は、同一の参照符号を用いて示されている。
【図面の簡単な説明】
【０００９】
【図１】本発明の原理を具体化できる坑井システム及び関連方法の概略部分断面図である。
【図２】図１のシステム及び方法で用いることができるパッカー組立体の一実施例の略図である。
【図３】図１のシステム及び方法で用いることができるパッカー組立体の一実施例の略図である。
【図４】図１のシステム及び方法で用いることができるパッカー組立体の一実施例の略図である。
【図５】図１のシステム及び方法で用いることができるパッカー組立体の一実施例の略図である。
【図６】図１のシステム及び方法で用いることができるパッカー組立体の一実施例の略図である。
【図７】図１のシステム及び方法で用いることができるパッカー組立体の一実施例の略図である。
【図８】図１のシステム及び方法で用いることができるパッカー組立体の一実施例の略図である。
【図９】図１のシステム及び方法で用いることができるパッカー組立体の一実施例の略図である。
【図１０】パッカー組立体の別の実施例の略図である。
【図１１】パッカー組立体の別の実施例の略図である。
【図１２】パッカー組立体の別の実施例の略図である。
【図１３】パッカー組立体の別の実施例の略図である。
【図１４】パッカー組立体の別の実施例の略図である。
【図１５】パッカー組立体の別の実施例の略図である。
【図１６】パッカー組立体の更に別の実施例の略図である。
【図１７】パッカー組立体の更に別の実施例の略図である。
【図１８】パッカー組立体の更に別の実施例の略図である。
【図１９】パッカー組立体の更に別の実施例の略図である。
【発明を実施するための形態】
【００１０】
図１には、本発明の原理を具体化できる坑井システム１０及び関連方法が代表的に示されている。坑井システム１０では、パッカー組立体１２が管状ストリング１６と裸孔１８との間に形成された環状部１４を封止するために用いられる。図１の実施例では、裸孔１８は、ケーシング２０及びセメント２２で内張りされているが、他の実施例では、裸孔は、アンケースド穴又はオープン穴であっても良い。
【００１１】
パッカー組立体１２は、代表的には、膨張可能なパッカーとして当業者に知られている形式のものであるが、他形式のパッカーが本発明の原理を具体化しても良い。図１の実施例では、パッカー組立体１２のシール要素２４が環状部１４を封止するために裸孔１８と封止接触関係をなすよう半径方向外方に拡張されている。シール要素２４のこの半径方向拡張は、選択された流体との接触に応答して膨張性材料の膨張に起因していると言える。
【００１２】
「膨張」及び類似の用語（例えば、「膨張可能」又は「膨張性」）という用語は、本明細書において、膨張性材料の体積の増大を意味するために用いられている。代表的には、体積のこの増加は、膨張性材料それ自体中への活性化剤の分子成分の入り込みに起因しているが、必要ならば他の膨張機構又は技術を用いることができる。膨張は、膨張と同一ではないことに注目されたい。ただし、シール材料が膨張の結果として膨張する場合がある。
【００１３】
例えば、幾つかの従来型パッカーでは、シール要素は、シール要素を長手方向に圧縮することにより又はシール要素にインフレートさせることによって半径方向外方に膨張可能である。これらの場合の各々において、シール要素は、シール要素を構成するシール材料の体積の増加なしに膨張する。かくして、これら従来型パッカーでは、シール要素は、膨張するが、膨張することはない。
【００１４】
膨張性材料の膨張を生じさせる活性化剤は、この実施例では、好ましくは、炭化水素流体（例えば、石油又はガス）である。坑井システム１０では、膨張性材料は、流体が活性化剤を含む場合（例えば、流体が裸孔１８周りの地層から裸孔１８に流入したとき、流体がパッカー組立体１２に循環したとき、流体がパッカー組立体で支持されたチャンバから放出されたとき等）膨張する。これに応答して、シール要素２４は、環状部１４を封止し、把持力を裸孔１８に加えることができる。
【００１５】
膨張性材料の膨張を生じさせる活性化剤は、任意種類の流体中に含まれていても良い。活性化剤は、自然な状態で坑井内に存在していても良く又はパッカー組立体１２と共に運ばれ、別個に運ばれ又は所望時に坑井内の膨張性材料に接触するよう流されても良い。活性化剤を膨張性材料に接触させる仕方であればどのような仕方でも本発明の原理と適合して使用できる。
【００１６】
水及び／又は炭化水素流体との接触時に膨張する種々の膨張性材料が当業者に知られており、したがって、これら材料の包括的なリストを本明細書内で提供することはしない。膨張性材料の部分的なリストは、米国特許第３，３８５，３６７号明細書及び同第７，０５９，４１５号明細書並びに米国特許出願公開第２００４‐００２０６６２号明細書に見受けられ、これら特許文献を参照により引用し、これらの開示内容全体を本明細書の一部とする。
【００１７】
別の変形例として、膨張性材料は、この膨張性材料中に存在していて、表面条件で圧縮され又は潰されるキャビティの相当な部分を有しても良い。この場合、高い圧力で坑井内に配置された後、膨張性材料は、キャビティが流体で満たされることによって膨張する。
【００１８】
この種の装置及び方法は、膨張性材料を油又は水ではなくガスの存在下で膨張させることが望ましい場合に用いられる場合がある。適当な膨張性材料が米国特許出願公開第２００７‐０２５７４０５号明細書に記載されており、この特許文献を参照により引用し、その開示内容全体を本明細書の一部とする。
【００１９】
好ましくは、坑井ツール１２内で用いられる膨張性材料は、膨張性材料中への炭化水素の拡散によって膨張し又は水膨張性材料の場合、高吸水性材料（例えば、セルロース、粘土等）によって吸収される水によって且つ／或いは塩状材料との浸透活動を介して膨張する。炭化水素膨張性材料、水膨張性材料及びガス膨張性材料を必要ならば組み合わせることができる。
【００２０】
かくして、所定の活性化剤との接触時に膨張する膨張性材料であればどのようなものであっても本発明の原理と適合して使用できることは明確に理解されるべきである。膨張性材料は又、多数の活性化剤のうちの任意のものとの接触に応答して膨張する場合がある。例えば、膨張性材料は、炭化水素流体との接触時及び／又は水との接触時に膨張することができる。
【００２１】
図１の実施例では、１本又は２本以上のライン２６がパッカー組立体１２を通って長手方向に延びている。ライン２６は、シール要素２４及びシール要素を長手方向に跨いでいる端リング２８を通って延びている。端リング２８は、シール要素２４を管状ストリング１６に当てた状態で支持し、シール要素が膨張すると、環状部１４中へのシール要素の押出しを最小限に抑えるよう働く。
【００２２】
ライン２６は、電気ライン、油圧ライン、光学ライン及び／又は任意他の形式のラインであって良い。ライン２６は、導管、ワイヤ、ケーブル、光ファイバ（又は他形式の光導波路）、フラットパックの形態及び／又は任意他の形式のものであって良い。ライン２６は、制御信号、データ伝送、通信、遠隔測定及び／又は任意他の目的のために使用できる。
【００２３】
さらに今、図２を参照すると、パッカー組立体１２の一実施例の拡大詳細図が代表的に示されている。パッカー組立体１２を坑井システム１０内で且つ上述の方法に用いることができ又は本発明の原理と適合して任意他の坑井システム内で用いることができる。
【００２４】
パッカー組立体１２の断面図が図３に示されており、端リング２８のうちの１つの別の拡大断面図４に示されている。図２〜図４で理解できるように、パッカー組立体１２のこの実施例は、ベースパイプ３０に取り付けられたシール要素２４及び端リング２８を含み、ベースパイプ３０は、好ましくは、管状ストリング１６内のパッカー組立体と相互連結するための適当な端連結部（図示せず）を備える。
【００２５】
一般に、これらコンポーネントは、パッカー組立体１２の長手方向軸線３２に沿って整列している。流れ通路３４がベースパイプ３０を長手方向に貫通して延びており、したがって、流れは、シール要素２４がパッカー組立体１２の周りの環状部１４を封止している場合であってもこの流れ通路を通ることができるようになっている。
【００２６】
図２〜図４の実施例では、長手方向に延びるチャネル３６がライン２６をチャネル３６内に収納することができるようシール要素２４内に設けられている。スリット３８により、ライン２６をチャネル３６内に都合良く収納することができる（ラインをチャネル中にこれらの端部から送る必要なく）。
【００２７】
図２〜図４の実施例では、４つの組をなすチャネル３６及びスリット３８が設けられ、チャネルは、シール要素２４内に円周方向に等間隔を置いて配置されている。しかしながら、チャネル、ライン、スリット等のこれ以外の数及び配置状態を所望に応じて採用することができる。
【００２８】
端リング２８の各々は、ベースパイプ３０を包囲した状態でこれに取り付けられた本体４０を有する。本体４０は、締結具（例えば、図９に示されている止めねじ４２）によってベースパイプ３０に固定されても良く、或いは、本体は、ベースパイプに溶接され若しくは他の手段によってこれに取り付けられても良い。
【００２９】
各端リング２８は、ライン２６を端リングを通ってその横側から収納することができるようにする１つ又は２つ以上の取外し可能な部分４４を更に有する（この場合、ラインを端リングに設けられた開口部４６を通って端から送り込む必要はない）。開口部４６は、シール要素２４内のチャネル３６と整列し、それにより、ライン２６を管状ストリング１６及びパッカー組立体１２が裸孔１８中に通されているときにチャネル及び開口部内にその横側から都合良く収納することができる。
【００３０】
ライン２６をチャネル３６及び開口部４６内に挿入した後、取外し可能な部分４４を端リング本体４０に取り付け、それによりラインをパッカー組立体１２に固定する。次に、パッカー組立体１２を坑井内に位置決めし、シール要素２４を膨張させて環状部１４を封止する。また、シール要素２４のこの膨張により、シール要素は、チャネル３６内でのライン２６の周りを封止し、それによりライン周りの漏れを阻止する。
【００３１】
端リング２８の一特徴では、取外し可能な部分４４は、長手方向に延びるインターロック異形材４８を介して端リング本体４０に係合する。インターロック異形材は、好ましくは、取外し可能な部分４４を端リング本体４０からワイヤカットする（例えば、放電加工を利用して）ことによって作られるが、インターロック異形材を形成する他の方法を所望に応じて利用することができる。インターロック異形材４８は、図中、Ｊ字形を有するものとして示されているが、他の形状を所望に応じて使用することができる。
【００３２】
さらに今、図５を参照すると、パッカー組立体１２の断面図が図２の５‐５線に沿って取った状態で代表的に示されている。この図では、チャネル３６及びスリット３８をシール要素２４に形成する仕方が明らかに理解できる。
【００３３】
チャネル３６のうちの１つは、長方形の形をしており、残りのチャネルは、円形のものであることに注目されたい。長方形チャネル３６は、この中にフラットパックを収納するために使用されるのが良く、他のチャネルは、この中に円筒形ケーブルを収納するために用いられるのが良いが、形状の任意の組み合わせを本発明の原理と適合してチャネルに使用できることは理解されるべきである。
【００３４】
さらに今、図６〜図９を参照すると、端リング２８がパッカー組立体１２の残部とは別個に代表的に示されている。これらの図では、長手方向に延びる葉状片５０が端リング本体４０上に形成され、これらとほぼ同じ長手方向に延びる葉状片５２が取外し可能な部分４４上に形成されていることが明確に理解できる。
【００３５】
スリーブ形インサート５４が葉状片５０から半径方向内方に端リング本体４０内に収納されている。インサート５４上には長手方向に延びる葉状片５６が更に形成されている。
【００３６】
葉状片５０，５２，５６は、シール要素２４の端部の上を半径方向外方に覆った状態で被さっている（例えば、図４を参照されたい）。シール要素２４が膨張すると、葉状片５０，５２，５６は、半径方向外方に回動し、その結果、これら葉状片は、端リング２８と裸孔１８との間で環状部１４を半径方向に横切って延び、それにより葉状片を越えるシール要素の押出しが阻止されるようになっている。
【００３７】
好ましくは、インサート葉状片５６は、本体２０及び取外し可能な部分４４に設けられている葉状片５０，５２に対して円周方向にオフセットしており、その結果、葉状片相互間には円周方向の隙間が露出されることがないようになっている。このように、葉状片５０，５２，５６は、葉状片をシール要素の膨張によって半径方向外方に回動させた後であっても、シール要素２４の押出しを阻止する非損壊状態の壁を形成する。
【００３８】
インサート５４は、接着又は他の取り付け手段によって端リング２８内に固定されるのが良い。インサート５４は、図９に示されているように連続円筒形スリーブであっても良く、或いは、以下の別の例について説明するように多数の区分で作られていても良い。
【００３９】
さらに今、図１０〜図１５を参照すると、パッカー組立体１２の別の実施例が代表的に示されている。この実施例では、ライン２６は、シール要素２４内に等しい円周方向分布状態で配置されているわけではない。そうではなくて、ライン２６は、ベースパイプ３０に対するシール要素の偏心位置決めによって作られたシール要素２４の厚肉側部内に収納される。
【００４０】
図１０では、パッカー組立体１２のシール要素２４の断面図が代表的に示されている。この図では、シール要素２４の外周部は、ベースパイプ３０の長手方向軸線３２及びシール要素の内周部に対して側方にオフセットした長手方向軸線５８を有している。
【００４１】
シール要素２４の外周部のこの偏心位置決めにより、シール要素の厚肉側部６０が作られる。ライン２６は、この厚肉側部６０内に設けられたチャネル３６内に収納される。ライン２６は、図面を分かりやすくするために図１０には示されていないが、ラインは、好ましくは、図２〜図９の実施例について上述した仕方でチャネル３６内に収納される。
【００４２】
図１１では、端リング２８の端面図が代表的に示されている。注目されるように、端リング２８の外周部は、端リングの内周部に対して偏心している。加うるに、開口部４６のうちの２つが本体４０及び１つの取外し可能な部分４４により画定されている。
【００４３】
図１２では、部分４４が取り外された状態の端リング２８の端面図が代表的に示されている。この図では、インサート５４は、部分４４が本体４０から取り外されているところでは円周方向に不連続状態になっている。これにより、ライン２６を本体４０への取外し可能な部分４４の取り付けに先立ってチャネル３６及び端リング２８内に収納することができる。
【００４４】
インサート５４は、図１３に示されている。図１４では、インサート５４の一区分５４ａを端リング２８の取外し可能な部分４４に取り付ける仕方が示されている。注目されるように、この構成により、本体４０及び取外し可能な部分４４に設けられた葉状片５０，５２に対するインサート葉状片５６の円周方向オフセットが保たれ、その結果、葉状片をシール要素２４の膨張によって外方に回動させた場合であっても、円周方向隙間が生じないようになっている。インサート５４の区分５４ａは、端リング２８の残部及びその取外し可能な部分４４とは別個に図１５に示されている。
【００４５】
別の実施例が図１６〜図１９に代表的に示されている。この実施例では、開口部４６は、フラットパックライン２６の２つの別々のサイズに対応するよう形作られている。加うるに、ライン２６は、パッカー組立体の内周部に対する偏心外周部の結果として生じるパッカー組立体１２の厚肉側部内に位置決めされる。
【００４６】
図１８では、実施例が全体として円筒形の形をしているが、円周方向に分割されたインサート５４を利用していることが理解できる。インサート５４だけの図が図１９に示されている。
【００４７】
端リング２８の実施例を多数の独特の特徴部（例えば、取外し可能な部分４４及び葉状片５０，５２等）を有するものとして上述したが、明確に理解されるべきこととして、これら特徴部の任意の１つ又は任意の組み合わせを本発明の範囲内において端リングに設けても良く、上述の独特な特徴部の全てを端リングに設けることは必要であるというわけではない。
【００４８】
いま、上述した開示内容は、坑井内で用いられるパッカー組立体を構成する技術分野に対して幾つかの改良を提供していることが完全に理解できる。上述したパッカー組立体１２の実施例は、種々の形式、種々の本数及び種々の間隔のライン２６に対応すると共に１つ又は２つ以上の取外し可能な部分４４を用いてラインを固定する端リングを有する。環状部１４内へのシール要素２４の押出しは、シール要素２４が半径方向外方に拡張したときに半径方向外方に回動する葉状片５０，５２，５６によって阻止される。
【００４９】
上述の開示内容は、地下坑井内で用いられるパッカー組立体１２を当該技術分野に提供する。パッカー組立体１２は、環状シール要素及び少なくとも１つの端リング２８を含むのが良く、端リング２８は、この端リング２８の本体４０上に形成された葉状片５０を有する。葉状片５０は、シール要素２４が半径方向外方に拡張すると、半径方向外方に付勢される。
【００５０】
シール要素２４は、坑井内の選択された流体との接触に応答して膨張することができる。
【００５１】
端リング２８の取外し可能な部分４４をインターロック異形材４８により端リング本体４０に係合させるのが良い。
【００５２】
葉状片５０は、シール要素２４の上に覆い被さるのが良い。
【００５３】
端リング２８は、葉状片５６が形成されたインサート５４を更に有するのが良い。インサート葉状片５６は、端リング本体葉状片５０に対して円周方向にオフセットしているのが良い。
【００５４】
少なくとも１本のライン２６がシール要素２４及び端リング２８を貫通して延びるのが良い。ライン２６は、端リング本体４０及び端リング２８の取外し可能な部分４４により画定された開口部４６内に位置決めされるのが良い。
【００５５】
また、上述の開示内容によって、地下坑井内の環状部１４を封止する方法が提供される。この方法は、円周方向に連続して配置された葉状片５０，５２がパッカー組立体１２の環状シール要素２４の上に半径方向外方に覆い被さるように葉状片５０，５２を位置決めするステップと、葉状片５０，５２がシール要素２４の膨張に応答して半径方向外方に回動するステップとを含むのが良い。
【００５６】
この方法は、葉状片５６が形成されたインサート５４を端リング本体４０内に収納し、インサート葉状片５６が端リング本体葉状片５０に対して円周方向にオフセットするようにするステップを更に含むのが良い。
【００５７】
上述の開示内容は又、地下坑井内で用いられるパッカー組立体１２であって、坑井内の選択された流体との接触に応答して膨張する環状シール要素２４を含むパッカー組立体に関する。少なくとも１つの端リング２８がインターロック異形材４８を介して端リング２８の本体４０と係合した取外し可能な部分４４を有する。
【００５８】
理解されるべきこととして、上述の種々の実施例は、本発明の原理から逸脱することなく、種々の向き、例えば、傾斜状態、逆さまの状態、水平状態、垂直状態等で利用できると共に種々の形態で利用できる。図示の実施形態は、本発明の原理の有用な用途の単なる例として示されると共に説明されており、本発明の原理は、これら実施形態の任意適当な細部に限定されるものではない。
【００５９】
本発明の代表的な実施例についての上述の説明において、方向を表す用語、例えば「〜の上方に」、「〜の下方に」、「上方の」、「下方の」等は、添付の図面を参照する際に便宜上用いられている。一般に、「〜の上方に」、「上方の」、「上向き」及び類似の用語は、裸孔に沿って地面に向かう方向を意味し、「〜の下方に」、「下方の」、「下向き」及び類似の用語は、裸孔に沿って地面から遠ざかる方向を意味している。
【００６０】
当然のことながら、当業者であれば、代表的な実施形態についての上述の説明を注意深く考慮すると、これら特定の実施形態に対する多くの改造例、追加例、置換例、削除例及び他の変更例を想到できることは容易に理解でき、かかる変更は、本発明の原理の範囲内に含まれる。したがって、上述の詳細な説明は、説明のため及び例示のためにのみ与えられているものと明確に理解されるべきであり、本発明の精神及び範囲は、特許請求の範囲の記載及びこれらの均等範囲にのみ基づいて定められる。
【図１】
0005710780.tif 000002
【図２】
0005710780.tif 000003
【図３】
0005710780.tif 000004
【図４】
0005710780.tif 000005
【図５】
0005710780.tif 000006
【図６】
0005710780.tif 000007
【図７】
0005710780.tif 000008
【図８】
0005710780.tif 000009
【図９】
0005710780.tif 000010
【図１０】
0005710780.tif 000011
【図１１】
0005710780.tif 000012
【図１２】
0005710780.tif 000013
【図１３】
0005710780.tif 000014
【図１４】
0005710780.tif 000015
【図１５】
0005710780.tif 000016
【図１６】
0005710780.tif 000017
【図１７】
0005710780.tif 000018
【図１８】
0005710780.tif 000019
【図１９】
0005710780.tif 000020